(57)【要約】【課題】  画面編集後でも、表示部品を動的に切り替えることができる表示装置を実現する。【解決手段】  画面上に所定の属性が設定された部品を配置して表示する表示装置において、  前記部品に特定の属性を設定して保持する属性情報保持手段と、  所定のイベントが発生した時に前記属性情報保持手段の保持されている部品を検索し、特定の属性が設定されている部品が発見された場合、当該部品の属性を特定の属性に変更するイベント処理部と、を備える。【選択図】                    図１
2009288997.tif 000002
【特許請求の範囲】
【請求項１】
画面上に所定の属性が設定された部品を配置して表示する表示装置において、
前記部品に特定の属性を設定して保持する属性情報保持手段と、
所定のイベントが発生した時に前記属性情報保持手段に保持されている部品を検索し、特定の属性が設定されている部品が発見された場合、当該部品の属性を特定の属性に変更するイベント処理部と、
を備えることを特徴とする表示装置。
【請求項２】
前記イベント処理部は、アラーム発生情報を取得して前記特定の属性への変更を実行することを特徴とする請求項１に記載の表示装置。
【請求項３】
前記イベント処理部は、前記画面に表示されているボタン部品の操作情報を取得して前記特定の属性への変更を実行することを特徴とする請求項１に記載の表示装置。
【請求項４】
前記属性情報保持手段は、特定の属性として可視または不可視の属性を前記部品に設定することを特徴とする請求項１乃至３のいずれかに記載の表示装置。
【請求項５】
前記イベント処理部は、前記画面に重ね合わせて表示されている部品の可視属性を、トグルスイッチ部品の操作情報を取得して切り替え、前記画面の最前面に表示させることを特徴とする請求項４に記載の表示装置。
【請求項６】
前記イベント処理部は、夫々に可視属性及び不可視属性を設定したトグルスイッチ部品の操作情報を取得して切り替え、前記画面に表示させることを特徴とする請求項４に記載の表示装置。
【請求項７】
前記属性情報保持手段は、リモート入力のオン／オフ、通信コマンドの発生、停電復帰時、メディア残量が所定値以下となったとき、メールを送信したとき、タイマを使用した定期切り替え処理、特定のユーザでログインしたとき、の少なくとも何れかの場合に前記部品に特定の属性を設定することを特徴とする請求項１乃至６のいずれかに記載の表示装置。
【請求項８】
前記属性情報保持手段は、前記部品に対する特定の属性設定に加えて、点滅及び背景色変更の何れかの属性設定をすることを特徴とする請求項１乃至７のいずれかに記載の表示装置。
【発明の詳細な説明】
【技術分野】
【０００１】
本発明は、画面上に所定の属性が設定された部品を配置して表示する表示装置に関するものである。
【背景技術】
【０００２】
図１２は、従来の表示装置の構成例を示す機能ブロック図である。内部バス１にはＣＰＵ２，表示部３、部品表示処理部４、記憶部５が接続されている。ＣＰＵ２は、外部機器や内部機器と通信して表示部品に関する指令を部品表示処理部４に与える。記憶部５は、部品情報保持手段５１及び部品の属性情報を保持する属性情報保持手段５２を備えている。
【０００３】
画面レイアウト機能とは、画面上にディジタル値部品やトレンド波形といった部品を、ユーザが自由に画面上に配置し、その部品のチャネル番号や、文字の大きさ等の属性を設定して、自由なレイアウトの表示を見ることができる機能である。
【０００４】
従来技術では、部品表示処理部４が記憶部５にある属性情報保持手段５１の内容を参照し、編集された画面表示を作成するという手順となっている。図１３は、従来手法の編集画面とその表示画面例である。例として３個のディジタル値部品の表示と、１個のボタン部品の表示を実現する。
【０００５】
図１３（Ａ）の編集画面では、部品を配置できるスペースにディジタル値部品３個とボタン部品１個を配置する。その後ディジタル値部品の属性の1つであるチャネル番号１〜３を設定する。
【０００６】
更に、ボタン部品の属性のボタン効果にアラームＡＣＫを設定する。アラームＡＣＫとは、アラームを解除するための機能である。このような編集画面に基づく表示画面例を、図１３（Ｂ）に示す。
【０００７】
【特許文献１】特開２００５−６９７９７号公報
【発明の開示】
【発明が解決しようとする課題】
【０００８】
従来技術では、次のような問題がある。
（１）編集後の表示画面において、部品の表示を動的に変化させることができない。そのため、状況によっては不必要な情報である部品を全て画面上に表示しておかなければならず、編集作業が煩雑になる。
【０００９】
（２）これにより、異常時以外は見なくてもよいチャネル情報や、アラーム発生時しか押さなくてもよいボタン等を現場担当者が見ることになり、勘違いや誤操作が発生する危険がある。
【００１０】
本発明は上述した問題点を解決するためになされたものであり、画面編集後でも、表示部品を動的に切り替えることができる表示装置の実現を目的としている。
【課題を解決するための手段】
【００１１】
このような課題を達成するために、本発明は次の通りの構成になっている。
（１）画面上に所定の属性が設定された部品を配置して表示する表示装置において、
前記部品に特定の属性を設定して保持する属性情報保持手段と、
所定のイベントが発生した時に前記属性情報保持手段に保持されている部品を検索し、特定の属性が設定されている部品が発見された場合、当該部品の属性を特定の属性に変更するイベント処理部と、
を備えることを特徴とする表示装置。
【００１２】
（２）前記イベント処理部は、アラーム発生情報を取得して前記特定の属性への変更を実行することを特徴とする（１）に記載の表示装置。
【００１３】
（３）前記イベント処理部は、前記画面に表示されているボタン部品の操作情報を取得して前記特定の属性への変更を実行することを特徴とする（１）に記載の表示装置。
【００１４】
（４）前記属性情報保持手段は、特定の属性として可視または不可視の属性を前記部品に設定することを特徴とする（１）乃至（３）のいずれかに記載の表示装置。
【００１５】
（５）前記イベント処理部は、前記画面に重ね合わせて表示されている部品の可視属性を、トグルスイッチ部品の操作情報を取得して切り替え、前記画面の最前面に表示させることを特徴とする（４）に記載の表示装置。
【００１６】
（６）前記イベント処理部は、夫々に可視属性及び不可視属性を設定したトグルスイッチ部品の操作情報を取得して切り替え、前記画面に表示させることを特徴とする（４）に記載の表示装置。
【００１７】
（７）前記属性情報保持手段は、リモート入力のオン／オフ、通信コマンドの発生、停電復帰時、メディア残量が所定値以下となったとき、メールを送信したとき、タイマを使用した定期切り替え処理、特定のユーザでログインしたとき、の少なくとも何れかの場合に前記部品に特定の属性を設定することを特徴とする（１）乃至（６）のいずれかに記載の表示装置。
【００１８】
（８）前記属性情報保持手段は、前記部品に対する特定の属性設定に加えて、点滅及び背景色変更の何れかの属性設定をすることを特徴とする（１）乃至（７）のいずれかに記載の表示装置。
【発明の効果】
【００１９】
本発明の構成によれば、次のような効果を期待することができる。
（１）画面編集後、表示画面にて動的に表示部品を変更できることを利用して、状況に応じた画面や部品を選択的に表示することができる。
【００２０】
（２）例えば異常時にしか必要のないチャネル情報を隠したり、アラーム発生時以外は必要のないボタン部品を表示しないようにして、勘違いや誤操作の発生を抑制することができる。
【発明を実施するための最良の形態】
【００２１】
以下、本発明を図面により詳細に説明する。図１は、本発明を適用した表示装置の一実施形態を示す機能ブロック図である。図１２で説明した従来装置と同一要素には同一符号を付して説明を省略する。
【００２２】
従来装置に追加された本発明の構成上の特徴部は、内部バス１に接続されるイベント処理部１００、アラーム検知部２００、ボタン検知部３００及び記憶部５に設けられた属性情報保持手段４００である。
【００２３】
イベント処理部１００は、所定のイベントが発生した時に記憶部５の部品情報保持手段５１と属性情報保持手段４００に保持されている部品を検索し、特定の属性が設定されている部品が発見された場合、当該部品の属性を特定の属性に変更する。
【００２４】
図２は、イベント処理部１００の動作を説明する機能ブロック図である。属性情報保持手段４００に保持される部品には、特定属性付与手段５００により、予め可視または不可視等の特定属性が設定されているものとする。
【００２５】
イベント処理部１００が備える属性検索手段１０１は、アラーム検知部２００からのアラーム発生情報をイベントとして取得すると、記憶部５の部品情報保持手段５１と属性情報保持手段４００を参照し、アラームが起こったときに設定された特定の属性を変更する属性情報を持っている部品を探す。該当する部品が見つかるとイベント処理部１００が備える属性変更手段１０１は、その部品に設定されている特定の属性情報を変更する。アラームが消えたときも同様である。
【００２６】
更に、イベント処理部１００が備える属性検索手段１０１は、ボタン検知部３００からのボタン操作情報をイベントとして取得すると、記憶部５の部品情報保持手段５１と属性情報保持手段４００を参照し、ボタンが押されたときに設定された特定の属性を変更する属性情報を持っている部品を探す。該当する部品が見つかるとイベント処理部１００が備える属性変更手段１０１は、その部品に設定されている特定の属性情報を変更する。
【００２７】
このような属性変更操作の終了後、部品表示処理部４が記憶部５にある部品情報保持手段５１及び属性情報保持手段４００を参照し、編集された画面を表示するという手順である。
【００２８】
図３は、本発明を適用した編集画面例であり、ボタンを押したときに、他の部品の可視、不可視を変える編集例である。ボタン部品として配置されたオン→オフ→オンとトグル動作をするスイッチＳｗ１（詳細表示のオン／オフ機能）のオン動作時に、チャンネル２及びチャンネル３のディジタル値部品に可視の属性を、スイッチＳｗ１のオフ動作時に不可視の属性を設定している。
【００２９】
図４は、図３の編集画面に基づく表示画面の遷移例である。図４（Ａ）は、詳細表示ボタンがオフ状態を示し、チャンネル２及びチャンネル３のディジタル値部品は不可視となり、チャンネル１のディジタル値部品のみが表示されている。
【００３０】
この状態で、詳細表示ボタンをオンに操作すると、このボタン部品のオン時に可視の属性が設定されているチャンネル２及びチャンネル３のディジタル値部品が画面に表示される。この状態で詳細表示ボタンを押してこのボタン部品をオフに操作すると、図４（Ａ）の表示状態に戻る。
【００３１】
図５は、本発明を適用した編集画面の他の例であり、アラームが発生したときに部品の可視、不可視を変える編集例である。アラームＡＣＫの動作をするボタン部品の可視属性を、アラーム発生時と設定してある。このような属性設定により、アラーム発生時のみアラームＡＣＫのボタン部品が表示される動作となる。
【００３２】
図６は、図５の編集画面に基づく表示画面の遷移例である。図６（Ａ）は、アラームが発生していない状態であり、チャンネル１のディジタル値部品のみが表示されている。アラームが発生すると、可視属性が設定されているアラームＡＣＫのボタン部品が画面に表示される。この状態でアラームＡＣＫボタンを押すと、アラームが解除されるので、アラームＡＣＫのボタン部品が画面から消えて図６（Ａ）の表示状態に戻る。
【００３３】
図７は、本発明を適用した編集画面の更に他の例であり、部品を重ねて配置して最前面の表示部品を選択的に切り替えることで、ページ感覚の画面レイアウトを作成したものである。
【００３４】
編集画面（Ａ）において、ボタン部品Ｂ１はメモリスタート動作、ボタン部品Ｂ２はメモリストップ動作、ボタン部品Ｂ３は演算リセット動作の機能を備え、ボタン部品Ｂ４（NEXT,PREV）のトグル動作スイッチＳｗ１がオン時に可視属性が設定されている。
【００３５】
編集画面（Ｂ）において、ボタン部品Ｂ１の後ろに重ねて配置されるボタン部品Ｂ５はメッセージ入力動作、ボタン部品Ｂ２の後ろに重ねて配置されるボタン部品Ｂ６はグループ変更動作、ボタン部品Ｂ３の後ろに重ねて配置されるボタン部品Ｂ７はスナップショット動作の機能を備え、ボタン部品Ｂ４（NEXT,PREV）のトグル動作スイッチＳｗ１がオフ時に可視属性が設定されている。
【００３６】
図８は、図７の編集画面に基づく表示画面の遷移例である。図８（Ａ）は、ボタン部品Ｂ４（NEXT,PREV）のトグル動作スイッチＳｗ１がオフ時にボタン部品Ｂ１〜Ｂ３が表示された画面である。
【００３７】
この状態でＮＥＸＴ表示されているボタン部品Ｂ４を押すと、図８（Ｂ）に示すように上側のボタン部品Ｂ１〜Ｂ３が消えて、下側のボタン部品Ｂ５〜Ｂ７が出てくる表示となる。この状態でＰＲＥＶ表示されているボタン部品Ｂ４をもう一回押すと、図８（Ａ）の表示に戻る。
【００３８】
このような重ね合わせ表示の形態により、ページ感覚の画面レイアウトを作成することができる。部品を重ねて配置するので配置スペースを節約することができ、見る機会の少ない部品や、あまり使わない機能のボタンを普段は隠しておくことができる。
【００３９】
図９は、本発明を適用した編集画面の更に他の例であり、可視、不可視を変更できるボタン部品の応用を示し、２回押しを求めるように見えるボタン表示の例である。図９（Ａ）に示す、重ね合わせて配置された上側のボタン部品Ｂ１及び図９（Ｂ）に示す下側のボタン部品Ｂ２に、スイッチＳｗ１をオン→オフ→オンと変化するトグル動作を設定する。
【００４０】
ボタン部品Ｂ２にはメモリストップ実行の動作を設定しておく。更に、ボタン部品Ｂ１の可視条件にＳｗ１がオフのとき、ボタン部品Ｂ２の可視条件にＳｗ１がオンのときと設定する。
【００４１】
図１０は、図９の編集画面に基づく表示画面の遷移例である。図１０（Ａ）で表示されているボタンスイッチＢ１のメモリストップを押すと、メモリストップの表示が消えて、図１０（Ｂ）のようにボタンスイッチＢ１のメモリストップ実行が表示される。このボタンスイッチを押すとメモリストップが実行され、図１０（Ａ）の表示に戻る。
【００４２】
この実施形態は、実際には慎重に行わなければならないボタン操作、例えばメモリストップ等に利用することができる。操作者は２回ボタンを押すことになるので、必要のない時にうっかりメモリストップを実行してしまうというミスを防ぐことができる
【００４３】
即ち、「メモリストップ」のボタンを押すと「メモリストップ実行」のボタンが現れるので、この「メモリストップ実行」のボタンを押したときに初めてメモリストップが実行され、元の「メモリストップ」の画面に戻る。
【００４４】
図３乃至図１０では、部品に設定する特定の属性として、可視，不可視属性を設定した実施形態を説明したが、本発明の適用対象はこれに限定されるものではなく、特定の属性としてはトレンド表示部品のスパン変更、部品選択属性（タブストップ）のオン／オフ設定、フォントサイズ変更等、種々の属性設定が可能である。
【００４５】
図１１は、本発明を適用した表示画面の他の遷移例であり、トレンド表示部品のスパン変更の表示画面の遷移を示している。図１１（Ａ）では定常状態で0-100%スパンのトレンド表示であるが、アラーム発生のイベントにより、図１１（Ｂ）のように、70-100%スパン表示に変更され、アラーム発生時刻のトレンドを拡大表示している。
【００４６】
表示部品に特定の属性を設定するためのイベント条件については、実施形態で例示したアラーム発生やボタン操作の他、次のような種々のイベントが可能である。
（１）リモート入力のオン／オフ
（２）通信コマンド
（３）停電復帰時
（４）メディア残量が所定値以下となったとき
（５）メールを送信したとき
（６）タイマを使った定期的な可視、不可視表示
（７）特定のユーザでログインしたとき
【００４７】
更に、設定された特定の属性を強調する追加設定としては、
（１）表示しているだけでなく点滅する
（２）背景色が変わる
属性を追加設定することもできる。
【図面の簡単な説明】
【００４８】
【図１】本発明を適用した表示装置の一実施形態を示す機能ブロック図である。
【図２】イベント処理部の動作を説明する機能ブロック図である。
【図３】本発明を適用した編集画面例である。
【図４】図３の編集画面に基づく表示画面の遷移例である。
【図５】本発明を適用した編集画面の他の例である。
【図６】図５の編集画面に基づく表示画面の遷移例である。
【図７】本発明を適用した編集画面の更に他の例である。
【図８】図７の編集画面に基づく表示画面の遷移例である。
【図９】本発明を適用した編集画面の更に他の例である。
【図１０】図９の編集画面に基づく表示画面の遷移例である。
【図１１】本発明を適用した表示画面の他の遷移例である。
【図１２】従来の表示装置の構成例を示す機能ブロック図である。
【図１３】従来手法の編集画面とその表示画面例である。
【符号の説明】
【００４９】
１  内部バス
２  ＣＰＵ
３  表示部
４  部品表示処理部
５  記憶部
５１  部品情報保持部
１００  イベント処理部
２００  アラーム検知部
３００  ボタン検知部
４００  属性情報保持手段
【図１】
2009288997.tif 000003
【図２】
2009288997.tif 000004
【図１２】
2009288997.tif 000005
【図３】
2009288997.tif 000006
【図４】
2009288997.tif 000007
【図５】
2009288997.tif 000008
【図６】
2009288997.tif 000009
【図７】
2009288997.tif 000010
【図８】
2009288997.tif 000011
【図９】
2009288997.tif 000012
【図１０】
2009288997.tif 000013
【図１１】
2009288997.tif 000014
【図１３】
2009288997.tif 000015